【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
アクセスポイントにおけるワイヤレス通信の方法であって、
第２の局と通信するための第１の局のための識別された送信機会を示すメッセージを前記第１の局に送信することと、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信することとを備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、方法。
【請求項２】
前記第１のワイヤレス通信信号を送信することが物理レイヤデータユニット（ＰＰＤＵ）の送信を備える、請求項１に記載の方法。
【請求項３】
前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、請求項２に記載の方法。
【請求項４】
前記ＰＰＤＵが、前記ＰＰＤＵの予定受信側であるとして前記第１および第２の局を除外するグループ識別子フィールドを備える、請求項２に記載の方法。
【請求項５】
前記識別された送信機会は、前記第１および第２の局が前記ＰＰＤＵの前記グループ識別子フィールドから除外されるかどうかにさらに基づき、前記第１の局と前記第２の局の一方または両方における前記第１のワイヤレス通信信号の受信信号レベルが前記しきい値を下回るかどうかに基づく、請求項４に記載の方法。
【請求項６】
前記メッセージが、
前記第１および第２の局のアドレス情報と、
前記第１および第２の局によって使用されるべき１つまたは複数のアンテナを示すアンテナ情報と、
許容通信のための持続時間を示す時間情報と、
最大送信電力を示す送信情報と
のうちの１つまたは複数を備える、請求項１に記載の方法。
【請求項７】
前記メッセージは、前記第２のワイヤレス通信信号の前記送信が、前記第１のワイヤレス通信の前記送信の終了と同時にまたはその前に終了することを示す、請求項１に記載の方法。
【請求項８】
前記第１のワイヤレス通信信号の前記送信中に、前記第１のワイヤレス通信信号を送信するデバイスの肯定応答ポリシーを前記第３のデバイスに関する非肯定応答ポリシーに設定することをさらに備える、請求項１に記載の方法。
【請求項９】
前記メッセージが、前記第１のワイヤレス通信信号の前記送信の前に送信されたフレームを備え、前記フレームが、前記第２の局と通信するための前記第１の局のための前記識別された送信機会を示す、請求項１に記載の方法。
【請求項１０】
前記メッセージが前記ＰＰＤＵの物理レイヤ（ＰＨＹ）のオムニ部分中で送信される、請求項２に記載の方法。
【請求項１１】
前記第１の局と前記第２の局の一方または両方からの送信を検出することと、
前記検出された送信に基づいてチャネル状態情報を推定することと、ここにおいて、前記送信機会が前記チャネル状態情報に基づく、
をさらに備える、請求項１に記載の方法。
【請求項１２】
前記第１のワイヤレス通信信号を送信するより前に前記第３の局に第３のワイヤレス通信信号を送信することと、
前記第３の局から、前記第３の局が前記第１のワイヤレス通信信号を受信し得ることを示す応答信号を受信することと、前記応答信号が経路損失情報を与え、ここにおいて、前記送信機会が前記経路損失情報に基づく、
をさらに備える、請求項１に記載の方法。
【請求項１３】
ワイヤレス通信のための装置であって、
第２の局と通信するための第１の局のための識別された送信機会を示すメッセージを前記第１の局に送信するための手段と、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信するための手段とを備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、装置。
【請求項１４】
前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、請求項１３に記載の装置。
【請求項１５】
コンピュータ上で実行されたとき、請求項１ないし１３のいずれか一項に記載の方法を実行するための命令を備えたコンピュータプログラム。
【手続補正２】
【補正対象書類名】明細書
【補正対象項目名】００６７
【補正方法】変更
【補正の内容】
【００６７】
[0080]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ワイヤレス通信の方法であって、
第２の局と通信するための第１の局のための識別された送信機会を示すメッセージを前記第１の局に送信することと、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信することとを備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、方法。
［Ｃ２］  前記第１のワイヤレス通信信号を送信することが物理レイヤデータユニット（ＰＰＤＵ）の送信を備える、Ｃ１に記載の方法。
［Ｃ３］  前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、Ｃ２に記載の方法。
［Ｃ４］  前記ＰＰＤＵが、前記ＰＰＤＵの予定受信側であるとして前記第１および第２の局を除外するグループ識別子フィールドを備える、Ｃ２に記載の方法。
［Ｃ５］  前記識別された送信機会は、前記第１および第２の局が前記ＰＰＤＵの前記グループ識別子フィールドから除外されるかどうかにさらに基づき、前記第１の局と前記第２の局の一方または両方における前記第１のワイヤレス通信信号の受信信号レベルが前記しきい値を下回るかどうかに基づく、Ｃ４に記載の方法。
［Ｃ６］  前記メッセージが、
前記第１および第２の局のアドレス情報と、
前記第１および第２の局によって使用されるべき１つまたは複数のアンテナを示すアンテナ情報と、
許容通信のための持続時間を示す時間情報と、
最大送信電力を示す送信情報とのうちの１つまたは複数を備える、Ｃ１に記載の方法。
［Ｃ７］  前記メッセージは、前記第２のワイヤレス通信信号の前記送信が、前記第１のワイヤレス通信の前記送信の終了同時にまたはその前に終了することを示す、Ｃ１に記載の方法。
［Ｃ８］  前記第１のワイヤレス通信信号の前記送信中に、前記第１のワイヤレス通信信号を送信するデバイスの肯定応答ポリシーを前記第３のデバイスに関する非肯定応答ポリシーに設定することをさらに備える、Ｃ１に記載の方法。
［Ｃ９］  前記メッセージが、前記第１のワイヤレス通信信号の前記送信の前に送信されたフレームを備え、前記フレームが、前記第２の局と通信するための前記第１の局のための前記識別された送信機会を示す、Ｃ１に記載の方法。
［Ｃ１０］  前記メッセージが前記ＰＰＤＵの物理レイヤ（ＰＨＹ）のオムニ部分中で送信される、Ｃ２に記載の方法。
［Ｃ１１］  前記第１の局と前記第２の局の一方または両方からの送信を検出することと、
前記検出された送信に基づいてチャネル状態情報を推定することと、ここにおいて、前記送信機会が前記チャネル状態情報に基づく、をさらに備える、Ｃ１に記載の方法。
［Ｃ１２］  前記第１のワイヤレス通信信号を送信するより前に前記第３の局に第３のワイヤレス通信信号を送信することと、
前記第３の局から、前記第３の局が前記第１のワイヤレス通信信号を受信し得ることを示す応答信号を受信することと、前記応答信号が経路損失情報を与え、ここにおいて、前記送信機会が前記経路損失情報に基づく、をさらに備える、Ｃ１に記載の方法。
［Ｃ１３］  ワイヤレス通信のための装置であって、
第２の局と通信するための第１の局のための識別された送信機会を示すメッセージを前記第１の局に送信するように構成された送信機を備え、前記送信機は、ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信するようにさらに構成され、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、装置。
［Ｃ１４］  前記第１のワイヤレス通信信号が物理レイヤデータユニット（ＰＰＤＵ）を備える、Ｃ１３に記載の装置。
［Ｃ１５］  前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、Ｃ１４に記載の装置。
［Ｃ１６］  前記ＰＰＤＵが、前記ＰＰＤＵの予定受信側であるとして前記第１および第２の局を除外するグループ識別子フィールドを備える、Ｃ１４に記載の装置。
［Ｃ１７］  前記識別された送信機会は、前記第１および第２の局が前記ＰＰＤＵの前記グループ識別子フィールドから除外されるかどうかにさらに基づき、前記第１の局と前記第２の局の一方または両方における前記第１のワイヤレス通信信号の受信信号レベルが前記しきい値を下回るかどうかに基づく、Ｃ１６に記載の装置。
［Ｃ１８］  前記メッセージが、
前記第１および第２の局のアドレス情報と、
前記第１および第２の局によって使用されるべき１つまたは複数のアンテナを示すアンテナ情報と、
許容通信のための持続時間を示す時間情報と、
最大送信電力を示す送信情報とのうちの１つまたは複数を備える、Ｃ１３に記載の装置。
［Ｃ１９］  前記メッセージは、前記第２のワイヤレス通信信号の前記送信が、前記第１のワイヤレス通信の前記送信の終了同時にまたはその前に終了することを示す、Ｃ１３に記載の装置。
［Ｃ２０］  前記第１のワイヤレス通信信号の前記送信中に、前記第１のを送信するデバイスの肯定応答ポリシーを前記第３のデバイスに関する非肯定応答ポリシーに設定するように構成されたプロセッサをさらに備える、Ｃ１３に記載の装置。
［Ｃ２１］  前記メッセージが、前記第１のワイヤレス通信信号の前に送信されたフレームを備え、前記フレームが、前記第２の局と通信するための前記第１の局のための前記識別された送信機会を示す、Ｃ１３に記載の装置。
［Ｃ２２］  前記メッセージが前記ＰＰＤＵの物理レイヤ（ＰＨＹ）のオムニ部分中で送信される、Ｃ１４に記載の装置。
［Ｃ２３］  前記第１の局と前記第２の局の一方または両方からの送信を検出することと、
前記検出された送信に基づいてチャネル状態情報を推定することと、ここにおいて、前記送信機会が前記チャネル状態情報に基づく、を行うように構成された受信機をさらに備える、Ｃ１３に記載の装置。
［Ｃ２４］  前記送信機が、前記第１のワイヤレス通信信号を送信するより前に前記第３の局に第３のワイヤレス通信信号を送信するようにさらに構成され、前記受信機は、前記第３の局から、前記第３の局が前記第１のワイヤレス通信信号を受信し得ることを示す応答信号を受信するようにさらに構成され、前記応答信号が経路損失情報を与え、ここにおいて、前記送信機会が前記経路損失情報に基づく、Ｃ１３に記載の装置。
［Ｃ２５］  ワイヤレス通信のための装置であって、
第２の局と通信するための第１の局のための識別された送信機会を示すメッセージを前記第１の局に送信するための手段と、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信するための手段とを備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、装置。
［Ｃ２６］  前記メッセージが、前記少なくとも第３の局のために割り振られたデータストリームの数を示すフィールドを含み、前記識別された送信機会は、前記第１および第２の局が０個のデータストリームを割り振られたかどうかにさらに基づく、Ｃ２５に記載の装置。
［Ｃ２７］  前記第１の局と前記第２の局の一方または両方からの送信のための手段と、
前記検出された送信に基づいてチャネル状態情報を推定するための手段と、ここにおいて、前記送信機会が前記チャネル状態情報に基づく、をさらに備える、Ｃ２５に記載の装置。
［Ｃ２８］  前記第１のワイヤレス通信信号を送信するより前に前記第３の局に第３のワイヤレス通信信号を送信するための手段と、
前記第３の局から、前記第３の局が前記第１のワイヤレス通信信号を受信し得ることを示す応答信号を受信するための手段と、前記応答信号が経路損失情報を与え、ここにおいて、前記送信機会が前記経路損失情報に基づく、をさらに備える、Ｃ２５に記載の装置。
［Ｃ２９］  実行されたとき、プロセッサに、
第２の局と通信するための第１の局のための識別された送信機会を示すメッセージを前記第１の局に送信することと、
ビームフォーミングされたワイヤレス通信を利用する第３の局への第１のワイヤレス通信信号が、前記第１の局と前記第２の局の一方または両方においてしきい値を下回る受信信号レベルを有するように、少なくとも前記第３の局に前記第１のワイヤレス通信信号を送信することとを行う方法を実行させる命令を備え、
ここにおいて、前記識別された送信機会は、前記第１の局と前記第２の局との間の第２のワイヤレス通信信号の送信が、前記利用されるビームフォーミングされた通信と少なくとも部分的に同時である時間期間にわたって行われるかどうかに基づく、非一時的コンピュータ可読媒体。
［Ｃ３０］  実行されたとき、プロセッサに、
前記第１の局と前記第２の局の一方または両方からの送信を検出することと、
前記検出された送信に基づいてチャネル状態情報を推定することと、ここにおいて、前記送信機会が前記チャネル状態情報に基づく、を行う方法を実行させる命令をさらに備える、Ｃ２９に記載の媒体。